(57)【特許請求の範囲】
【請求項１】
処理槽と、この処理槽へ処理対象液を供給する処理対象液供給手段と、前記処理槽内に前記処理対象液に一部浸漬された状態で水平軸心を中心として回転可能に配置され外周壁がメッシュ材からなる固液分離ドラムと、前記メッシュ材の外周面に付着・堆積した懸濁固形物からなる堆積層を剥離回収する回収手段と、前記固液分離ドラム内へ通過した濾液を排出する濾液排出手段を備える回転ドラム型固液分離装置において、前記固液分離ドラム内の濾液を排出すると共に前記処理槽へ処理対象液を供給するのに伴い、前記処理対象液の液面レベルが所定の高レベルに上昇したときに前記固液分離ドラムの回転を開始又は加速し、前記液面レベルが所定の低レベルに下降したときに前記固液分離ドラムの回転を停止又は減速し、固液分離ドラムのメッシュ材の外周面に所要の層厚の堆積層が形成されていない状態では、固液分離ドラムの回転を停止すると共に、この固液分離ドラム内の濾液を前記固液分離ドラムの外側の処理槽へ返送させることを特徴とする回転ドラム型固液分離装置の制御方法。
【請求項２】
処理対象液の液面レベルが所定の高レベルに上昇したときに処理対象液供給手段の駆動を停止することを特徴とする請求項１に記載の回転ドラム型固液分離装置の制御方法。
【請求項３】
処理槽内の液面レベルが予め設定された最低レベルに低下した場合に、処理槽へ処理対象液を供給する処理対象液供給手段の駆動を停止すると共に固液分離ドラムの回転を停止し、前記固液分離ドラムからの濾液の排出を停止することを特徴とする請求項１に記載の回転ドラム型固液分離装置の制御方法。
【発明の詳細な説明】
【技術分野】
【０００１】
本発明は、外周面に固液分離処理対象液中の懸濁固形物による堆積層を形成するドラム状フィルタを用いて前記懸濁固形物を分離回収する固液分離装置の制御方法に関するものである。
【背景技術】
【０００２】
昨今、廃棄物の減量や再利用による資源の循環及び有効利用の重要性が高まっており、液体に含まれる微小固形物やその溶媒においても例外ではない。ところが、食品系工場においては多量の排水（廃水）に含まれる微小有機固形物や、ディスポーザによって処理された生ごみ排水（廃水）中に含まれる微小有機固形物や、湖沼、河川に発生する微細藻類等は、資源の循環、有効利用されることなくそのまま処理あるいは放置されているのが現状である。これらの微小有機固形物はそのままバイオマス資源として利用するには低濃度であり、排水（廃水）処理を行うには負荷が高すぎるといった問題があるからである。
【０００３】
また、金属加工工場等で発生する無機性の排水（廃水）や、切削油中に含まれる金属は、沈殿するものに関しては回収が容易であるが、微小固形物は回収が困難であり、繰り返し使用することによって微小固形物が高濃度となり切削時に噛み込みの原因となるため、交換されている。そして、これらの微小固形物が懸濁されている排水（廃水）の処理においては、凝集剤等の助剤を用いて微小固形物を沈殿させて回収しているため、回収された固形物を有効に利用しにくい状態となってしまっている。
【０００４】
このような排水（廃水）から懸濁固形物を分離回収する固液分離装置としては、下記の特許文献に開示されているような回転ドラム型固液分離装置が知られており、製紙業界において、パルプの濃縮や白水処理に用いられている。すなわちこの種の回転ドラム型固液分離装置は、処理対象液を貯留する処理槽と、この処理槽内に水平軸心を中心として回転可能に配置され、外周壁がワイヤクロスや濾布などのメッシュ材からなる固液分離ドラムと、前記メッシュ材の外周面に付着・堆積した懸濁固形物からなる堆積層を剥離回収するスクレーパ又はカッタとを備える。
【０００５】
そしてこの回転ドラム型固液分離装置は、処理槽内へ処理対象液を供給すると共に、回転する固液分離ドラムの内部空間から、この固液分離ドラム内へ濾過された水（濾液）を排水することによって、固液分離ドラムのメッシュ材の外周面に処理対象液中の懸濁固形物が付着・堆積した堆積層を形成させ、この堆積層自体の濾過機能を利用して、メッシュ材の目開きサイズより粒子の細かい懸濁固形物を分離可能としている。そしてこのようにして固液分離ドラムのメッシュ材の外周面に堆積層として付着・堆積された固形物は、スクレーパ又はカッタによって剥離・回収される。
【０００６】
また、この回転ドラム型固液分離装置では、ドラムの回転速度によって処理槽内の処理対象液と固液分離ドラム内の濾液との水頭差を制御することで、排水（廃水）処理量、堆積層の厚さ、及び濾液の水質を調整することができる。なお、処理対象液の懸濁固形物の濃度が低いと堆積層の形成が不均一になるため、濃度は0.5％以上であることが求められる。
【先行技術文献】
【特許文献】
【０００７】
【特許文献１】特開平７−２１３８１９号公報
【特許文献２】特開２０００−２５４４１８号公報
【発明の概要】
【発明が解決しようとする課題】
【０００８】
しかしながら、従来の技術によれば、例えば食品工場の排水（廃水）、生活雑排水（廃水）、無機排水（廃水）、金属切削油、湖沼・河川等の液体中の懸濁固形物などは、粒子が細かく、形状も不均一で低濃度に存在しているため、製紙に用いられているメッシュサイズの粗い固液分離ドラム（目開き300μm程度）では、このような排水（廃水）から懸濁固形物を効率よく回収することが困難であった。
【０００９】
したがって、メッシュサイズの粗い固液分離ドラムによって、懸濁固形物の粒子がより細かい排水（廃水）を処理するには、凝集沈殿剤等の助剤を添加することによって堆積層の形成を促す手法や、予め固液分離ドラムのメッシュ材にプレコート剤をコーティングし、固液分離工程においてメッシュ材に形成された懸濁固形物による堆積層を、前記プレコート剤と共に剥離し回収する手法が採られている。しかしながらこの場合は、凝集沈殿剤やプレコート剤を用いることによるコストアップが懸念され、しかも回収物に助剤やプレコート剤が混入してしまうことになるため、回収物を有効利用するには不都合である。
【００１０】
また、ドラム回転速度の制御が処理槽内の処理対象液と固液分離ドラム内の濾液との水頭差のみに依存されるため、微小固形物を安定的に回収することが困難であった。すなわち、ドラム回転速度の制御に際しては、水頭差が維持されれば固液分離ドラムに堆積層が形成されて目詰まっている状態であると想定されるが、濾過速度より処理対象液の供給速度が高い場合、水頭差を維持することが可能であるため、固液分離ドラムから回収用ドラムに回収固形物（堆積層）が転写された後、堆積層が形成されていない固液分離ドラム部分が再度処理対象液中へ進入する部分において濾過速度が高くなり、濾液中の固形物濃度が高くなってしまうため、回収率が安定しないといった問題があった。
【００１１】
本発明は、以上のような点に鑑みてなされたものであって、その技術的課題は、処理対象液中の微小固形物にて固液分離ドラム上に堆積層を形成させることによって、濾過速度を調節し、安定的かつ効率よく固液分離を行うことにある。
【課題を解決するための手段】
【００１２】
上述した技術的課題を有効に解決するための手段として、請求項１の発明に係る回転ドラム型固液分離装置の制御方法は、処理槽と、この処理槽へ処理対象液を供給する処理対象液供給手段と、前記処理槽内に前記処理対象液に一部浸漬された状態で水平軸心を中心として回転可能に配置され外周壁がメッシュ材からなる固液分離ドラムと、前記メッシュ材の外周面に付着・堆積した懸濁固形物からなる堆積層を剥離回収する回収手段と、前記固液分離ドラム内へ通過した濾液を排出する濾液排出手段を備える回転ドラム型固液分離装置において、前記固液分離ドラム内の濾液を排出すると共に前記処理槽へ処理対象液を供給するのに伴い、前記処理対象液の液面レベルが所定の高レベルに上昇したときに前記固液分離ドラムの回転を開始又は加速し、前記液面レベルが所定の低レベルに下降したときに前記固液分離ドラムの回転を停止又は減速し、固液分離ドラムのメッシュ材の外周面に所要の層厚の堆積層が形成されていない状態では、固液分離ドラムの回転を停止すると共に、この固液分離ドラム内の濾液を前記固液分離ドラムの外側の処理槽へ返送させることを特徴とするものである。
【００１３】
すなわちこの方法においては、処理槽内の処理対象液の液面レベルが所定の低レベルにあることによって、固液分離ドラムの回転が停止又は低速回転している状態では、この固液分離ドラム内の濾液を排出すると共に処理槽へ処理対象液を供給するのに伴い、固液分離ドラムのメッシュ材の外周面へ、処理対象液中の懸濁固形物が付着・堆積することによって堆積層が形成され、その層厚が増大して行き、それと共に処理槽から固液分離ドラム内への濾加速度が低下して処理槽内の処理対象液の液面レベルが上昇する。また、液面レベルが所定の高レベルに達した時点で前記固液分離ドラムの回転を開始又は加速すれば、液面の上に露出して堆積層の形成が行われていない部分が処理対象液中へ回転移動して行き、あるいはその移動速度が速くなることによって、濾過速度が速くなるので、処理槽内の処理対象液の液面レベルが低下し、前記液面レベルが所定の低レベルに達した時点で、固液分離ドラムの回転を停止又は減速することによって、堆積層の形成が行われていない部分に堆積層が形成され、その層厚が増大して行く。そしてこのような制御が繰り返されることによって、固液分離ドラム内の濾液の懸濁固形物濃度を低くかつ安定させることができる。
【００１４】
また、処理槽の処理対象液の液面レベルが所定の高レベルから下降する過程では、液面に浮遊している固形物がドラム上に乗るため、処理対象液中に懸濁している固形物だけでなく、液面に浮遊している固形物も効率よく分離回収される。また、固液分離ドラムのメッシュ材の外周面に所要の層厚の堆積層が形成されていない状態では、処理槽内の処理対象液は、懸濁固形物が十分に分離されずに固液分離ドラムのメッシュ材を通過して固液分離ドラム内へ流入することになる。したがって、固液分離ドラム内へ流入した濾液を処理槽内へ返送させて繰り返し濾過を行うことによって、前記メッシュ材の外周に懸濁固形物が付着・堆積して形成される堆積層の層厚が厚くなって行き、それに伴い処理槽内の処理対象液と固液分離ドラム内の濾液の液面レベル差が大きくなると共に、濾加速度及び濾液の懸濁固形物濃度が低下して行く。このため、運転開始時あるいはメンテナンス後など、固液分離ドラムのメッシュ材の外周面に堆積層が形成されていない状態から、十分な層厚の堆積層を形成して濾液の懸濁固形物濃度を所定値まで下げるのに有効である。
【００１７】
請求項２の発明に係る回転ドラム型固液分離装置の制御方法は、請求項１に記載の方法において、処理対象液の液面レベルが所定の高レベルに上昇したときに処理対象液供給手段の駆動を停止することを特徴とするものである。
【００１８】
すなわち、液面レベルが所定の高レベルに達した時点で固液分離ドラムの回転を開始又は加速すると、露出して堆積層の形成が行われていない液面上の部分が処理対象液中へ回転移動して行くので、処理対象液の懸濁固形物が堆積層によって十分に濾過されずに濃度の高い濾液が固液分離ドラム内へ流入することになる。このため、濾過による液面レベルの低下速度が遅いと、液面レベルが所定の低レベルに達することによって固液分離ドラムが停止されるまでの時間が長くなって、処理対象液の液面下で堆積層が十分に形成されていない領域が占める割合が大きくなり、処理対象液の懸濁固形物が堆積層によって十分に濾過されずに濃度の高い濾液が多量に排出されてしまうが、請求項２の方法によれば、所定の高レベルに上昇した処理対象液の液面レベルが短時間で所定の低レベルに下降して固液分離ドラムが停止するため、堆積層が十分に形成されていない領域の多くが処理対象液の液面下へ入って濾液の液質が悪化（懸濁固形物濃度が上昇）してしまうのを抑制することができる。
【００２１】
請求項３の発明に係る回転ドラム型固液分離装置の制御方法は、請求項１に記載の方法において、処理槽内の液面レベルが予め設定された最低レベルに低下した場合に、処理槽へ処理対象液を供給する処理対象液供給手段の駆動を停止すると共に固液分離ドラムの回転を停止し、前記固液分離ドラムからの濾液の排出を停止することを特徴とするものである。
【００２２】
すなわち、不定期に処理対象液が発生する場合や処理対象液の供給が減少した場合に、処理槽へ処理対象液を供給する処理対象液供給手段の駆動を停止することによって、この処理対象液供給手段の空運転による破損を防止することができ、固液分離ドラムからの濾液の排出を停止することによって、処理槽内の処理対象液と固液分離ドラム内の濾液がほぼ同等の液面レベルで残留した状態に保持され、また、固液分離ドラムの回転停止によって堆積層は回収手段に剥離回収されることなく固液分離ドラムのメッシュ材の外周に維持される。
【発明の効果】
【００２５】
本発明によれば、固液分離ドラムのメッシュ材の外周に良好な堆積層の形成及び維持が可能となり、その結果、処理槽内の処理対象液からの懸濁固形物の回収が効率よく行われ、濾液中の懸濁固形物濃度を低くかつ安定させることができる。しかも固液分離ドラムが間欠運転又は適切な速度調整されるので、省エネルギー及びコストダウンを図ることができる。また、懸濁固形物の回収が効率よく行われる結果、その有効利用を促進させることができる一方、濾液は懸濁固形物濃度が低く抑えられる結果、排水（廃水）処理が容易になり、廃棄・処理コストを低減することができる。
【００２６】
また、液質に応じて濾過速度が求められ、濾過速度から処理対象液の適正な供給速度を設定することができ、その結果、省エネルギーを図ることができると共にイニシャルコスト、ランニングコストを抑えることが可能である。
【図面の簡単な説明】
【００２７】
【図１】本発明による制御対象の回転ドラム型固液分離装置の一例を概略的に示す断面図である。
【図２】図１におけるII−II断面図である。
【図３】本発明による制御システムを概略的に示すブロック図である。
【図４】濾過速度による濾水の懸濁固形物濃度（ＳＳ濃度）の変化を確認する試験の結果を示す線図である。
【図５】濾過速度による濾水の懸濁固形物濃度（ＳＳ濃度）の変化を確認する試験の結果を示す線図である。
【図６】本発明に係る回転ドラム型固液分離装置の制御方法において、初期運転時の制御を示す説明図である。
【図７】本発明に係る回転ドラム型固液分離装置の制御方法において、通常運転時の制御を示す説明図である。
【図８】本発明に係る回転ドラム型固液分離装置の制御方法において、処理対象水が不定期に供給される場合や供給量が減少した場合の保護措置のための制御を示す説明図である。
【図９】本発明に係る回転ドラム型固液分離装置の制御方法において、保護措置後の復旧運転時の制御を示す説明図である。
【発明を実施するための形態】
【００２８】
以下、本発明に係る回転ドラム型固液分離装置の制御方法の好ましい実施の形態について、図面を参照しながら詳細に説明する。
【００２９】
まず図１は、本発明による制御対象の回転ドラム型固液分離装置の一例を概略的に示す断面図、図２は、図１におけるII−II断面図で、処理対象水Ｗ１を貯留する処理槽１と、この処理槽１内に配置された固液分離ドラム２と、この固液分離ドラム２の外周面に処理対象水Ｗ１中の懸濁固形物により形成された堆積層ＰＣを剥離回収する回収手段３と、前記処理槽１へ処理対象水Ｗ１を供給する給水ポンプ４と、前記固液分離ドラム２内の濾水Ｗ２を排出する流路に設けられた排水弁５と、前記固液分離ドラム２内の濾水Ｗ２を前記処理槽１へ返送させる循環ポンプ６を備える。なお、処理対象水Ｗ１は、請求項１に記載された処理対象液に相当するものであり、濾水Ｗ２は請求項１に記載された濾液に相当するものである。
【００３０】
回転ドラム型固液分離装置による処理対象水Ｗ１は、粒子径1μｍ〜1ｍｍの固形物が50％以上含まれる有機性排水（廃水）、無機性排水（廃水）等である。具体的には、例えば生活排水（廃水）、食品工場排水（廃水）、メタン発酵やアルコール発酵の消化液、有機汚泥、海水や湖沼・河川等の環境水、微細藻類の培養液等の有機性の液体や、無機汚泥、セメント排水（廃水）、切削油等の無機性の液体が処理可能である。
【００３１】
処理槽１には、その一方の側壁１１における固液分離ドラム２との対向面の下部に位置して排水口１２が開設されている。そして排水弁５は、この排水口１２に接続された排水管５１に設けられている。なお、排水弁５及び排水管５１は、請求項１に記載された濾液排出手段に相当するものである。
【００３２】
固液分離ドラム２は、処理槽１内の処理対象水Ｗ１に浸漬された状態で、不図示の電動モータ及び減速装置によって、水平な仮想軸心を中心として低速回転されるものであって、図２に示されるように、軸方向一側が開放された形状となっている。そして固液分離ドラム２の円筒状の外周壁はワイヤクロスなどのメッシュ材２１からなり、開放された側の外径部が、処理槽１の一方の側壁（排水口１２が開設された側壁）１１の内側面に摺動可能に密接されることによって、この側壁１１との間に濾水貯留室Ｓが画成されている。なお、参照符号２２は、固液分離ドラム２の開放された外径部に周設されたシール部材である。
【００３３】
固液分離ドラム２のメッシュ材２１としては、目開きサイズが150μm以下のものが採用される。これは、目開きサイズが150μmを超えるものでは、初期の固液分離工程においてメッシュ材２１に予めプレコート剤による層を形成しておかないと、メッシュ材２１の外周面に固形物の付着・堆積が起こりにくく、すなわち堆積層ＰＣが形成されにくいからである。メッシュ材２１の材質としては、ステンレス、亜鉛、真鍮、アルミ等の金属、ポリエチレン、ポリプロピレン、ポリエステル、ポリ塩化ビニル、ナイロン、ポリテトラフルオロエチレン等の合成樹脂、障子紙などのパルプ繊維、ガラス繊維、炭素繊維を使用することが可能である。
【００３４】
固液分離ドラム２が図１における反時計方向へ回転するものとした場合、この固液分離ドラム２の外周部（堆積層ＰＣ）は、参照符号１ａで示される側（以下、ドラム浮上側１ａという）で処理対象水Ｗ１の水面から浮上し、参照符号１ｂで示される側（以下、ドラム没入側１ｂという）で処理対象水Ｗ１の水面下へ没入する。そして処理槽１の側壁には、ドラム没入側１ｂに位置して給水管１３が開口しており、処理槽１内には、この給水管１３により処理槽１内へ供給される処理対象水Ｗ１を、固液分離ドラム２の外周がその回転に伴って水面下へ没入する位置よりも回転方向前方、好ましくは固液分離ドラム２の最下部（軸心を通る鉛直線との交点位置）よりも回転方向前方で初めて固液分離ドラムの外周に接するように、かつ回転方向（反時計方向）へ供給されるように導く導流部材１４が設けられている。言い換えれば、この導流部材１４は、処理槽１へ供給される処理対象水Ｗ１をドラム浮上側１ａに偏在する位置へ導くものである。
【００３５】
処理槽１へ処理対象水Ｗ１を供給する給水ポンプ４は給水管１３に設けられており、この給水管１３の上流側は不図示の原水供給槽に接続されている。なお、給水ポンプ４、給水管１３及び原水供給槽は、請求項１に記載された処理対象液供給手段に相当するものである。
【００３６】
堆積層ＰＣを剥離して再利用可能な資源ＲＳとして回収する回収手段３は、固液分離ドラム２のメッシュ材２１の外周面に形成された堆積層ＰＣの表面に、処理槽１における処理対象水Ｗ１の水位ＷＬ１より上方で接触しながら、固液分離ドラム２と逆方向へ回転されることによって、前記固液分離ドラム２のメッシュ材２１から堆積層ＰＣを転写・付着させるローラ３１と、このローラ３１に転写・付着された固形物を掻き取るスクレーパ３２からなる。なお、ローラ３１の表面材としては、例えばゴム、フェルト、スポンジ等、平滑度や弾力性、耐久性を重視した素材が用いられる。なお、水位ＷＬ１は請求項１に記載された液面レベルに相当するものである。
【００３７】
排水管５１からは、排水弁５の上流側で濾液返送管６１が分岐しており、そして、固液分離ドラム２内の濾水貯留室Ｓの濾水Ｗ２を前記処理槽１へ返送させる循環ポンプ６は、この濾液返送管６１に設けられている。
【００３８】
図３は、本発明による制御システムを概略的に示すブロック図である。上記構成の回転ドラム型固液分離装置は、図３に示される制御システムによって駆動が制御されるようになっており、すなわちこの制御システムは、レベルセンサ７，７ａと、このレベルセンサ７，７ａからの検出データに基づいて前記固液分離装置における給水ポンプ４の駆動回路４１、固液分離ドラム２を回転させる不図示の電動モータの駆動回路２３、排水弁５の駆動回路２４、及び循環ポンプ６の駆動回路６１を制御する制御信号を出力する制御装置８と、制御装置８に種々のデータを入力するための入力部９を備える。
【００３９】
レベルセンサ７は、図１に示されるように、ＬＬ、Ｌ、Ｈ、ＨＨの４レベルで処理槽１における処理対象水Ｗ１の水位ＷＬ１を検出するものである。ＬＬ、Ｌ、Ｈ、ＨＨの高さは、処理槽１や固液分離ドラム２の大きさによって任意に設定可能である。
【００４０】
なお、レベルセンサ７としては、フロートなしセンサ、超音波センサ、フロートセンサ、静電容量型レベルセンサ、圧力レベルセンサ、マイクロウェーブ式レベルセンサ等、種々のものが使用可能である。
【００４１】
制御装置８は、入力部９からの入力データによって種々の演算を行うものであり、また、処理槽１内の処理対象水Ｗ１の水位ＷＬ１が上昇してレベルＨに達したときのレベルセンサ７からの検出信号によって、固液分離ドラム２を回転させる不図示の電動モータの駆動回路２３に駆動指令の信号を出力し、前記水位ＷＬ１が下降してレベルＬに下降したときに前記電動モータの駆動回路２３に停止指令の信号を出力し、給水ポンプ４の駆動回路４１に駆動指令の信号を出力すると共に排水弁５の駆動回路２４に開放指令信号を出力し、前記水位ＷＬ１がレベルＬＬに下降したときに排水弁５の駆動回路２４に閉塞指令信号を出力し、当該固液分離装置を初期運転させる際に給水ポンプ４の駆動回路４１に駆動指令の信号を出力すると共に排水弁５の駆動回路２４に閉塞指令信号を出力し、これによって前記水位ＷＬ１がレベルＬＬ又はＬなど所要のレベルへ上昇したときに循環ポンプ６の駆動回路６１に駆動指令の信号を出力し、あるいは前記水位ＷＬ１がレベルＨＨまで上昇した場合に不図示の警報装置に駆動指令の信号を出力し、さらには処理対象水Ｗ１の給水源である不図示の原水供給槽の残存水量が所定レベル以下になったときにこれに設置されたレベルセンサ７ａからの検出信号によって給水ポンプ４の駆動回路４１に停止指令の信号を出力するといった制御動作を行うものである。
【００４２】
上述の構成を備える回転ドラム型固液分離装置によって処理対象水Ｗ１の固液分離処理を行うには、処理対象水Ｗ１の種類によって性状や物性が異なるため、処理対象水Ｗ１の濾過速度による濾水Ｗ２の水質（懸濁固形物濃度）の変化を確認するための予備試験を行う必要がある。固液分離ドラム２が回転する直前ではこの固液分離ドラム２のメッシュ材２１の外周面に十分な層厚の堆積層ＰＣが形成されているため、濾水Ｗ２の水質が最も良い状態であり、固液分離ドラム２が回転した直後は堆積層ＰＣが形成されていないメッシュ材２１からの処理対象水Ｗ１の流入があるため、水質が悪化する。したがって、濾水Ｗ２の評価を行う際には各々の積分値として計算する。
【００４３】
なお、繊維及び粒子が混在する処理対象水Ｗ１の例として、ディスポーザ排水に模擬生活雑排水（廃水）としてきな粉を添加した液体を用いて試験を行ったところ、図４の線図に示されるような結果が得られた。また、粒子のみが固形物として存在している液体としてきな粉を懸濁した液体を用いて試験を行ったところ、図５の線図に示されるような結果が得られた。すなわち、処理対象水Ｗ１の濾加速度が早いほど、濾水Ｗ２の懸濁固形物濃度（ＳＳ濃度）が高く、すなわち水質が悪化することがわかる。なお、図４及び図５に示される近似曲線の関数において、Ｌｎは自然対数であり、Ｒ２は相関係数である。
【００４４】
したがって、このような予備試験の結果によって濾水速度の選定を適切に行うことができる。
【００４５】
図６は、運転開始あるいはメンテナンス等で堆積層ＰＣが形成されていない状態からの運転再開など、初期運転時の制御方法を示すものである。
【００４６】
この初期運転においては、先に説明したように、制御装置８から排水弁５の駆動回路２４は閉塞指令信号が出力されると共に給水ポンプ４の駆動回路４１に駆動指令の信号が出力されるので、まず図６（Ａ）のように、固液分離ドラム２が停止した状態で、給水ポンプ４が駆動されると共に排水弁５が閉塞されることによって、処理槽１へ処理対象水Ｗ１が供給される。このとき、固液分離ドラム２のメッシュ材には堆積層が形成されていないので、処理槽１内の処理対象水Ｗ１の水位ＷＬ１と固液分離ドラム２内の濾水Ｗ２の水位ＷＬ２とのレベル差（水頭差）は僅かである。
【００４７】
次に、処理槽１への処理対象水Ｗ１の供給によってその水位ＷＬ１が所要のレベルへ上昇したことがレベルセンサ７で検出されると、制御装置８から給水ポンプ４の駆動回路４１へ停止指令の信号が出力されると共に循環ポンプ６の駆動回路６１へ駆動指令の信号が出力されるので、図６（Ｂ）のように、固液分離ドラム２内へ通過した濾水Ｗ２が処理槽１へ返送される。このとき、循環ポンプ６による濾水Ｗ２の返送速度は、先に説明した予備試験結果に基づいて、目標とする濾過速度となるように設定される。
【００４８】
その結果、固液分離ドラム２から返送された濾水Ｗ２が繰り返し固液分離ドラム２のメッシュ材を通過することになるので、その過程で、図６（Ｃ）〜（Ｄ）のように、メッシュサイズ以下の懸濁固形物が固液分離ドラム２のメッシュ材に徐々に堆積して堆積層ＰＣが形成されて行く。この堆積層ＰＣは、それ自体が濾過機能を持つようになるので、堆積層ＰＣの堆積厚さの増大に伴い、粒径がメッシュ材２１の目開きより粒径の小さい懸濁固形物も有効に分離されるようになる。このため濾加速度が低下し、処理槽１の水位ＷＬ１が上昇すると共に固液分離ドラム２内の濾水Ｗ２の水位ＷＬ２が低下し、すなわち水頭差ＨＤが大きくなり、目標とする濾水Ｗ２の水質時の濾過速度へ近似して行く。
【００４９】
ここで、循環ポンプ６による濾水Ｗ２の循環にも拘らず、もし処理槽１の水位ＷＬ１が所定の水位まで上昇しない場合、言い換えれば水頭差ＨＤが大きくならず、濾加速度が目標の濾過速度まで低下しない場合は、その原因は堆積層ＰＣの形成が不十分であるか、投入された処理対象水Ｗ１の量が少ないためメッシュ材に堆積層ＰＣが形成されていない領域が多いからであると考えられ、このような場合は、処理槽１へ、堆積層ＰＣの形成のための懸濁固形物を補給する必要がある。したがって、例えば循環ポンプ６の駆動後、不図示のタイマで計測される所定時間が経過しても処理槽１の水位ＷＬ１が所定の水位まで上昇しない場合に、制御装置８から給水ポンプ４の駆動回路４１へ駆動指令の信号が出力され、これによって処理槽１へ処理対象水Ｗ１が再度供給される。
【００５０】
なお、その際に初期に投入した処理対象水Ｗ１が多く、すでに水位ＷＬ１が所定のレベルに達している場合は、排水弁５を開放することによって、固液分離ドラム２内の濾水Ｗ２を排水する。このときに排水される濾水Ｗ２は、堆積層ＰＣを形成する懸濁固形物濃度が低いものであり、目標水質を満たしているものと考えて良い。
【００５１】
固液分離ドラム２のうち処理対象水Ｗ１の水面下に没入した部分におけるメッシュ材の外周に十分な層厚の堆積層ＰＣが形成されることによって、濾過速度が目標とする濾水Ｗ２の水質時の濾過速度まで低下すると共に、処理槽１内の処理対象水Ｗ１と固液分離ドラム２内の濾水Ｗ２の水頭差ＨＤが大きくなって、処理対象水Ｗ１の水位ＷＬ１がレベルＨに達すると、処理モードは通常運転へ移行する。
【００５２】
図７は、通常運転時の制御を示す説明図である。この通常運転においては、循環ポンプ６が停止されると共に、水位ＷＬ１を検出するレベルセンサ７からの検出信号によって、処理対象水Ｗ１の供給ポンプ４及び固液分離ドラム２の回転が制御される。処理対象水Ｗ１の供給速度は目標となる水質の濾過速度と同じになるように設定する。
【００５３】
すなわち図７（Ａ）のように、レベルセンサ７で検出される処理槽１内の処理対象水Ｗ１の水位ＷＬ１がＬのときは、給水ポンプ４が駆動し、固液分離ドラム２が停止する。またこの時、排水弁５は開放状態にある。この状態では、処理槽１内の処理対象水Ｗ１は固液分離ドラム２内へ流入する過程で、この処理対象水Ｗ１中に混在する懸濁固形物が固液分離ドラム２のメッシュ材あるいはその外周に形成された堆積層ＰＣにより分離されて付着・堆積し、これによって堆積層ＰＣの層厚が増大して行き、それと共に処理槽１から固液分離ドラム２内への濾加速度が低下して、図７（Ｂ）のように処理槽１内の処理対象水Ｗ１の水位ＷＬ１が上昇する。
【００５４】
そしてレベルセンサ７で検出される処理槽１内の処理対象水Ｗ１の水位ＷＬ１がＨまで上昇した時点で、図７（Ｃ）のように、固液分離ドラム２が回転を開始する。すると、固液分離ドラム２の回転に伴い、図７（Ｄ）のように、これまで処理対象水Ｗ１の水面より上側にあって堆積層ＰＣが形成されていなかった（回収手段３によって堆積層ＰＣが剥離された）メッシュ材の領域２１ａが、処理対象水Ｗ１の水面下に没入して行くため、及び給水ポンプ４による処理対象水Ｗ１の供給停止によって、水位ＷＬ１が低下する。
【００５５】
そして、レベルセンサ７で検出される処理槽１内の処理対象水Ｗ１の水位ＷＬ１がＬまで低下したら、固液分離ドラム２が停止し、すなわち図７（Ａ）からの制御が繰り返される。
【００５６】
ここで、図７（Ｃ）のように、固液分離ドラム２が回転を開始したときに、回転によって固液分離ドラム２が水中へ没入する位置は、堆積層ＰＣの形成が開始される部分であるため、給水ポンプ４によって不図示の原水供給槽から送られる処理対象水Ｗ１が前記没入位置へ供給される場合は、処理対象水Ｗ１に含まれる比較的粒径の大きい懸濁固形物が付着して、堆積層ＰＣが不均一かつ粗な状態に形成されてしまいやすく、このため濾水Ｗ２の水質が不安定になりやすい。
【００５７】
これに対し、図１に示される固液分離装置によれば、処理槽１に供給される処理対象水Ｗ１は、この処理槽１内に設けられた導流部材１４によって、固液分離ドラム２の最下部よりも回転方向前方、すなわちドラム浮上側１ａに偏在する位置で初めて固液分離ドラム２の外周に接するように導かれているため、処理対象水Ｗ１に含まれる比較的粒径の大きい懸濁固形物は、処理槽１内におけるドラム浮上側１ａ（固液分離ドラム２の最下部よりも回転方向前方）に分布し、ドラム没入側１ｂ（固液分離ドラム２の最下部よりも回転方向後方）には、相対的に粒径が小さい懸濁固形物が分布するようになる。
【００５８】
このため、処理槽１内の処理対象水Ｗ１には、ドラム没入側１ｂで相対的に低く、ドラム浮上側１ａで相対的に高くなるような濃度勾配が発生する。
【００５９】
したがって、処理対象水Ｗ１に含まれる比較的粒径の大きい懸濁固形物は、堆積層ＰＣの形成が開始されてから反時計方向へ移動するのに伴い、堆積層ＰＣがある程度の層厚になる固液分離ドラム２の最下部位置以降で堆積層ＰＣに付着することになり、ドラム没入側１ｂには、相対的に粒径が小さい懸濁固形物が分布することになる。したがって、堆積層ＰＣが未形成の領域２１ａが没入する位置（ドラム没入側１ｂ）では処理対象水Ｗ１の懸濁固形物濃度が低いことから、この部分で濾過された濾液Ｗ２も水質が良好に維持される。
【００６０】
また、上述のように、図７（Ｃ）において固液分離ドラム２が回転を開始すると、堆積層ＰＣが形成されていない液面上の領域２１ａが水面下へ没入して行くので、この領域２１ａでは、処理対象水Ｗ１の懸濁固形物が堆積層ＰＣによって十分に濾過されない。このため、濾過による水位ＷＬ１の低下速度が遅いと、この水位ＷＬ１がレベルＬに達することによって固液分離ドラム２が停止されるまでの時間が長くなって、処理対象水Ｗ１の水面下で堆積層ＰＣが十分に形成されていない領域２１ａが占める割合が大きくなり、処理対象水Ｗ１中の懸濁固形物が堆積層ＰＣによって十分に濾過されずに濃度の高い濾水Ｗ２が多量に排出されてしまうばかりか、固形物の回収効率も低下することになる。
【００６１】
そこで、図７（Ｃ）において固液分離ドラム２が回転を開始すると同時に、制御装置８から給水ポンプ４の駆動回路４１へ停止指令の信号が出力され、これによって処理槽１への処理対象水Ｗ１の供給を遮断するようにする。このように制御すれば、水位ＷＬ１が短時間でレベルＬに下降して固液分離ドラム２が停止するため、堆積層ＰＣが十分に形成されていない領域２１ａの多くが処理対象水Ｗ１の水面下へ入って濾水Ｗ２の水質が悪化（懸濁固形物濃度が上昇）してしまうと共に回収率が低下するのを防止することができる。
【００６２】
なお、処理対象水Ｗ１の水位ＷＬ１がレベルＬに達したときには、水面付近の固液分離ドラム２の外周には堆積層ＰＣが形成されているため、これを通過した濾水Ｗ２は目標とする水質を満足するものとなる。
【００６３】
また、上述の制御方法によれば、処理対象水Ｗ１中に懸濁している固形物質だけではなく、図７（Ｃ）に示されるように水面に浮遊する固形物Ｆも回収することができる。すなわち、水面に浮遊する固形物Ｆは、水位ＷＬ１が一定に保持されている場合は堆積層ＰＣの表面には付着しにくいが、水位ＷＬ１が図７（Ｃ）に示されるレベルＨから図７（Ａ）に示されるレベルＬへ下降する過程で、水面に浮遊する固形物Ｆが図７（Ｄ）に示されるように堆積層ＰＣ上に乗るため、効率よく回収される。
【００６４】
次に図８は、処理対象水Ｗ１が不定期に供給される場合や給水管１３の上流側の原水供給槽（不図示）からの供給量が減少したときに堆積層ＰＣを維持するための保護措置としての制御を示す説明図である。
【００６５】
すなわち処理対象水Ｗ１が不定期に発生するような条件では、原水供給槽の水位が一定レベル以下まで低下すると、これを検出するレベルセンサ７ａからの検出信号によって、図８（Ａ）に示されるように、給水ポンプ４が停止されると共に、固液分離ドラム２が停止する。これによって、前記原水供給槽内の処理対象水Ｗ１がなくなることによる給水ポンプ４の空運転が防止される。また循環ポンプ６は引き続き停止状態にある。
【００６６】
給水ポンプ４の停止によって、処理槽１への処理対象水Ｗ１の流入がなくなるため、固液分離ドラム２内からの濾水Ｗ２の排出によって、水位ＷＬ１が低下して行く。そして水位ＷＬ１がレベルＬＬに達すると、排水弁５が閉塞される。
【００６７】
この時点では、図８（Ａ）に示されるように、処理槽１内の処理対象水Ｗ１と固液分離ドラム２内の濾水Ｗ２との水頭差があるため、引き続き処理槽１内から固液分離ドラム２内への濾過が行われる。このため、処理槽１内の処理対象水Ｗ１の水位ＷＬ１が低下する一方、固液分離ドラム２内の濾水Ｗ２の水位ＷＬ２が上昇して水頭差が無くなり、すなわち図８（Ｂ）に示されるように、ドラム内外の水位が一定となる。
【００６８】
このようにすることによって、固液分離ドラム２に形成された堆積層ＰＣは維持された状態で残され、固液分離ドラム２内の水質は目標となる水質を満足することができる。しかしながらこの制御はあくまで保護措置であるため、堆積層ＰＣが乾燥して状態が不均一になったりメッシュ材に張り付いてしまったりして、回収用のローラ３１への転写が困難になるおそれがあるため、この状態を長時間維持することは好ましくない。
【００６９】
また、図９は、上述した保護措置後に復旧運転を行うための制御を示す説明図である。
【００７０】
すなわち、図９（Ａ）に示される待機状態（図８（Ｂ）に示される状態）から、原水供給槽内の水位が上昇するなどによって、給水ポンプ４が空運転しない条件になると、図９（Ｂ）のように給水ポンプ４が駆動し、処理対象水Ｗ１が処理槽１へ供給される。このとき、固液分離ドラム２には十分な層厚の堆積層ＰＣが維持されているので、処理槽１への処理対象水Ｗ１の供給速度よりも濾過速度が低く、このため水頭差ＨＤを生じ、レベルＬＬにあった処理対象水Ｗ１の水位ＷＬ１が上昇する。
【００７１】
処理対象水Ｗ１の水位ＷＬ１が例えば図９（Ｃ）のようにレベルＨまで上昇すると、排水弁５が開放され、固液分離ドラム２内の濾水Ｗ２が排出されるので、図９（Ｄ）のように濾水Ｗ２の水位ＷＬ２が低下する。なお、排出される濾水Ｗ２は、十分な層厚の堆積層ＰＣによって濾過されたものであるため、目標となる水質を満足するものである。なお、この復旧運転制御においても初期運転と同様なレベルの制御を行う。
【００７２】
図９（Ｄ）の状態となった後は、先に説明した図７に示される通常運転の制御へ移行することになる。
【００７３】
上述した形態によれば、処理対象水Ｗ１の懸濁固形物がメッシュサイズ以下であっても、図６のような初期運転制御によって、固液分離ドラム２のメッシュ材に徐々に堆積して十分な層厚の堆積層ＰＣを形成することができるため、有機性排水（廃水）（生活排水（廃水）、食品工場排水（廃水）、メタン発酵消化液、有機汚泥など）中の低濃度の有機性懸濁物や、湖沼、河川などの水から微細な藻類などを分離回収する場合にも適用できる。
【００７４】
なお、回収手段３によって資源ＲＳとして回収された有機固形物は、湿式メタン発酵あるいは高温メタン発酵などの二次処理によってバイオ燃料などに変換することができ、一方、濾水Ｗ２は、排水（廃水）中の有機物をメタンガスと二酸化炭素に分解するＵＡＳＢ（Upflow Anaerobic Sludge Blanket：上向流嫌気性汚泥床）排水（廃水）処理システムなどによって二次処理を行うことができる。
【００７５】
また、回収手段３によっていったん回収された有機固形物をメタン発酵させることによって発生した余剰汚泥や、濾水Ｗ２のＵＡＳＢ排水（廃水）処理などによって発生した余剰汚泥は、上述した回転ドラム型固液分離装置のへ返送して一次処理としての固液分離及びその後の二次処理を再度行うことによって、最終処分（場外搬出）する余剰汚泥量を著しく削減することができる。
【符号の説明】
【００７６】
１  処理槽
２  固液分離ドラム
３  回収手段
４  給水ポンプ（処理対象液供給手段）
５  排水弁（濾液排出手段）
６  循環ポンプ
７，７ａ  レベルセンサ
８  制御装置
ＰＣ  堆積層
Ｗ１  処理対象水（処理対象液）
Ｗ２  濾水（濾液）
【図１】
0005591651.tif 000002
【図２】
0005591651.tif 000003
【図３】
0005591651.tif 000004
【図４】
0005591651.tif 000005
【図５】
0005591651.tif 000006
【図６】
0005591651.tif 000007
【図７】
0005591651.tif 000008
【図８】
0005591651.tif 000009
【図９】
0005591651.tif 000010